(57)【要約】【課題】頭部により密着し、櫛全体で頭部を包むように髪を梳かすことができ、かつ髪を梳かすとき被施術者にリラックス効果を与えるとともに、施術者にとっても使い勝手がよく、整形しやすい、低コストの湾曲状櫛を提供する。【解決手段】本考案は、正面孤状に湾曲した第１支持部及び前記第１支持部に連設された第２支持部よりなるフレームと、前記第１支持部の弧内側に一列に隙間をあけ各々平行に設けられた複数の歯よりなる第１歯部と、前記第２支持部に前記第１歯部と同一側に一列に隙間をあけ各々平行に設けられた複数の歯よりなる第２歯部と、からなる湾曲状櫛の構成とした。【選択図】図１
0003147031.tif 000002
【実用新案登録請求の範囲】
【請求項１】
正面孤状に湾曲した第１支持部及び前記第１支持部に連設された第２支持部よりなるフレームと、前記第１支持部の弧内側に一列に隙間をあけ等間隔に各々平行に設けられた複数の歯よりなる第１歯部と、前記第２支持部に前記第１歯部と同一側に一列に隙間をあけ等間隔に各々平行に設けられた複数の歯よりなる第２歯部と、からなることを特徴とする湾曲状櫛。
【請求項２】
前記第１支持部先端部が第１歯部方向に湾曲し、第１歯部を構成する歯となり、かつ、前記第２支持部末端部が第２歯部方向に屈曲し、第２歯部を構成する歯となることを特徴とする請求項１に記載の湾曲状櫛。
【請求項３】
前記第２支持部が、屈曲して第１支持部に接続され、前記第１歯部の歯と前記第２歯部の歯とが平行で、かつ、前記第１支持部末端部に接続し、前記第１歯部と第２歯部との間に位置し、歯と同一面に板状の仕切りを設けたことを特徴とする請求項１又は請求項２に記載の湾曲状櫛。
【請求項４】
前記第２支持部の末端に、前記第２支持部と略同方向に延設され、先端にいくほど細くなる第１末端を設けたことを特徴とする請求項１〜請求項３の何れか１項に記載の湾曲状櫛。
【請求項５】
前記第２支持部が、前記第１支持部と正面同一方向に凸の弧状、又は反対方向に凸に弧状で、湾曲櫛正面全体として、それぞれ略Ｍ字形状、略Ｓ字形状に湾曲したことを特徴とする請求項１〜４の何れか１項に記載の湾曲状櫛。
【請求項６】
前記第１支持部及び第１支持部の歯と、前記第２支持部及び第２支持部の歯の形状が、それぞれ同一形状であることを特徴とする請求項５に記載の湾曲状櫛。
【請求項７】
前記第１支持部と前記第２支持部の間に第３支持部を設け、前記第３支持部に、隙間をあけ各々平行に複数のストレート形状の歯を、前記フレームの弧状の頂点の接線に対して垂直に設けたことを特徴とする請求項６に記載の湾曲状櫛。
【請求項８】
正面孤状に湾曲した第１支持部及び前記第１支持部に連設され、前記第１支持部と逆方向に凸に湾曲した第２支持部よりなる平面略Ｓ字形状のフレームと、前記第１支持部の弧内側に一列に隙間をあけ等間隔に各々平行に設けられた複数の歯よりなる第１歯部と、前記第２支持部の弧内側で、前記第１歯部と逆方向に一列に隙間をあけ等間隔に各々平行に設けられた複数の歯よりなる第２歯部と、からなることを特徴とする湾曲状櫛。
【請求項９】
前記湾曲状櫛の長手方向に対して中央方向の前記第１歯部の一端部と前記第２歯部の一端部が重なった連結部に、平面逆方向にそれぞれの歯が設けられていることを特徴とする請求項８に記載の湾曲状櫛。
【請求項１０】
前記湾曲状櫛が、湾曲状櫛平面全体として略Ｓ字形状であり、前記第１歯部と第２歯部の歯もそれぞれ平行に設けられたことを特徴とする請求項８又は請求項９に記載の湾曲状櫛。
【請求項１１】
前記第１支持部と前記第２支持部の連結部を、連結方向に略直線状に長く形成し、歯を設けない手で握る把持部としたことを特徴とする請求項８に記載の湾曲状櫛。
【請求項１２】
前記把持部の側面に波状の凹凸を形成したことを特徴とする請求項１１に記載の湾曲状櫛。
【請求項１３】
前記第１歯部の歯の先端を結ぶ線が、前記第１支持部と同一方向に凸の弧状になるような歯の長さを端から中央にいくにしたがい長い歯としたことを特徴とする請求項１〜請求項１２の何れか１項に記載の湾曲状櫛。
【請求項１４】
さらに、前記第２歯部の歯の先端を結ぶ線が、前記第１支持部と同一方向に凸の弧状になるような歯の長さを端から中央にいくにしたがい長い歯としたことを特徴とする請求項１３に記載の湾曲状櫛。
【請求項１５】
前記歯が、湾曲状櫛の第１又は第２支持部の弧状の頂点の接線に対して、平面垂直方向にストレートな形状であることを特徴とする請求項１〜請求項１４の何れか１項に記載の湾曲状櫛。
【請求項１６】
前記歯が、湾曲状櫛の弧状の頂点の接線に対して、前記第１支持部と前記第２支持部の連結部方向に平面傾けて設けられたことを特徴とする請求項１〜請求項１４の何れか１項に記載の湾曲状櫛。
【請求項１７】
前記歯の略中央部が、前記第１支持部と前記第２支持部の連結部方向と反対方向に凸状に平面湾曲したことを特徴とする請求項１４又は請求項１５に記載の湾曲状櫛。
【請求項１８】
前記フレームが、平面弧状又は略Ｓ字状に湾曲したことを特徴とする請求項１〜請求項１７の何れか１項に記載の湾曲状櫛。
【請求項１９】
前記歯の先端が、前記各支持部の平面垂直下方向の前後一方に位置するよう前記歯が傾いて、或いは湾曲して前記各支持部に連結したことを特徴とする請求項１〜請求項１８の何れか１項に記載の湾曲状櫛。
【考案の詳細な説明】
【技術分野】
【０００１】
本考案は、歯を支持する支持部が湾曲した湾曲状櫛に関する。
【背景技術】
【０００２】
一般的な櫛は、板状であり、長辺（支持部）の片方の辺に等間隔に切り込みが入れられ、切り込みと切り込みの間に複数の「歯」が列設されている。切り込み（隙間）に髪を通すことで髪をとく。頭部に向く広い面に歯が複数列列設されている点ブラシとは異なる。
【０００３】
その他、支持部を頭の形状に湾曲させた櫛が開発され、特許文献１等に公開されている。特許文献１に記載の湾曲状の「櫛７」は、頭部に沿うような湾曲したフレーム形状であって、なおかつ、櫛歯が互いに平行に並設することで髪の毛のひっかかりをなくすことを目的に開発されたものである。
【０００４】
特許文献１に記載の湾曲状の櫛７の具体的形状を図７に示した。櫛７は、正面円弧状の支持部７ｂ及び支持部７ｂに連設された手で持つ部分である取っ手７ｃよりなるフレーム７ａと、前記取っ手７ｃ及び前記フレーム７ａの先端部７ｄで囲まれた前記支持部７ｂに、櫛７の長さ方向に沿った直線と直交する向きにストレートな複数の歯７ｆが互いに平行に並設してなる歯部７ｅとからなることを特徴とする。説明の便宜上、特許文献１と異なる名称、符号を付してある。
【０００５】
櫛を湾曲形状にすることで、頭部に沿って髪を梳かすことができ、なおかつ、複数の歯を互いに平行に並設することで髪の毛のひっかかりを防止し、よりスムーズに髪を梳かすことができるというものである。
【特許文献１】実登３１１８７６１号公報
【考案の開示】
【考案が解決しようとする課題】
【０００６】
櫛により髪を梳かす目的は、主に整髪であるが、梳かすことが被施術者に癒し効果を与える。従って、できるだけ櫛が頭部形状に密着して沿うことが求められている。さらに、理容店、美容院の施術者にとって、櫛は整髪のみならず、カットにも使用する。施術者は、整髪、カットに際して、櫛を左右上下あらゆる方向に向ける必要があり、時として左右の手に持ち替えて使用する。
【０００７】
しかし、特許文献１の考案は、支持部７ｂ、及び歯７ｆ先端を結ぶ線が湾曲し、頭部に密着しているものの、歯部は１箇所しかなく、施術者の使い勝手がよくない。
【０００８】
そこで、本考案は、頭部により密着し、櫛全体で頭部を包むように髪を梳かすことができ、かつ髪を梳かすとき被施術者にリラックス効果を与えるとともに、施術者にとっても使い勝手がよく、整形しやすい、低コストの湾曲状櫛を提供することを目的とする。
【課題を解決するための手段】
【０００９】
本考案は、上記の課題を解決するために、正面孤状に湾曲した第１支持部及び前記第１支持部に連設された第２支持部よりなるフレームと、前記第１支持部の弧内側に一列に隙間をあけ等間隔に各々平行に設けられた複数の歯よりなる第１歯部と、前記第２支持部に前記第１歯部と同一側に一列に隙間をあけ等間隔に各々平行に設けられた複数の歯よりなる第２歯部とからなることを特徴とする湾曲状櫛の構成とし、前記第１支持部先端部が第１歯部方向に湾曲し、第１歯部を構成する歯となり、かつ、前記第２支持部末端部が第２歯部方向に屈曲し、第２歯部を構成する歯となることを特徴とする前記湾曲状櫛の構成とし、前記第２支持部が、屈曲して第１支持部に接続され、前記第１歯部の歯と前記第２歯部の歯とが平行で、かつ、前記第１支持部末端部に接続し、前記第１歯部と第２歯部との間に位置し、歯と同一面に板状の仕切りを設けたことを特徴とする前記何れかに記載の湾曲状櫛の構成とした。
【００１０】
また、前記第２支持部の末端に、前記第２支持部と略同方向に延設され、先端にいくほど細くなる第１末端を設けたことを特徴とする前記いずれかに記載の湾曲状櫛の構成とし、前記第２支持部が、前記第１支持部と正面同一方向に凸の弧状、又は反対方向に凸に弧状で、湾曲櫛正面全体として、それぞれ略Ｍ字形状、略Ｓ字形状に湾曲したことを特徴とする前記何れかに記載の湾曲状櫛の構成とし、前記第１支持部及び第１支持部の歯と、前記第２支持部及び第２支持部の歯の形状が、それぞれ同一形状であることを特徴とする前記湾曲状櫛の構成とし、前記第１支持部と前記第２支持部の間に第３支持部を設け、前記第３支持部に、隙間をあけ各々平行に複数のストレート形状の歯を、前記フレームの弧状の頂点の接線に対して垂直に設けたことを特徴とする前記湾曲状櫛の構成とした。
【００１１】
正面孤状に湾曲した第１支持部及び前記第１支持部に連設され、前記第１支持部と逆方向に凸に湾曲した第２支持部よりなる平面略Ｓ字形状のフレームと、前記第１支持部の弧内側に一列に隙間をあけ等間隔に各々平行に設けられた複数の歯よりなる第１歯部と、前記第２支持部の弧内側で、前記第１歯部と逆方向に一列に隙間をあけ等間隔に各々平行に設けられた複数の歯よりなる第２歯部とからなることを特徴とする湾曲状櫛の構成とした。前記湾曲状櫛の長手方向に対して中央方向の前記第１歯部の一端部と前記第２歯部の一端部が重なった連結部に、平面逆方向にそれぞれの歯が設けられていることを特徴とする前記湾曲状櫛の構成とした。前記湾曲状櫛が、湾曲状櫛平面全体として略Ｓ字形状であり、前記第１歯部と第２歯部の歯もそれぞれ平行に設けられたことを特徴とする前段記載の湾曲状櫛の構成とした。
【００１２】
前記第１支持部と前記第２支持部の連結部を、連結方向に略直線状に長く形成し、歯を設けない手で握る把持部としたことを特徴とする前記湾曲状櫛の構成とし、前記把持部の側面に波状の凹凸を形成したことを特徴とする前記湾曲状櫛の構成とした。
【００１３】
また、前記第１歯部の歯の先端を結ぶ線が、前記第１支持部と同一方向に凸の弧状になるような歯の長さを端から中央にいくにしたがい長い歯としたことを特徴とする前記何れかに記載の湾曲状櫛の構成とし、さらに、前記第２歯部の歯の先端を結ぶ線が、前記第１支持部と同一方向に凸の弧状になるような歯の長さを端から中央にいくにしたがい長い歯としたことを特徴とする前記湾曲状櫛の構成とした。
【００１４】
さらに、前記歯が、湾曲状櫛の第１又は第２支持部の弧状の頂点の接線に対して、平面垂直方向にストレートな形状であることを特徴とする前記何れかに記載の湾曲状櫛の構成とし、前記歯が、湾曲状櫛の弧状の頂点の接線に対して、前記第１支持部と前記第２支持部の連結部方向に平面傾けて設けられたことを特徴とする前記何れか１項に記載の湾曲状櫛の構成とした。
【００１５】
加えて、前記歯の略中央部が、前記第１支持部と前記第２支持部の連結部方向と反対方向に凸状に平面湾曲したことを特徴とする前段湾曲状櫛の構成とした。
【００１６】
前記フレームが、平面弧状又は略Ｓ字状に湾曲したことを特徴とする前記何れかに記載の湾曲状櫛の構成とし、前記歯の先端が、前記支持部の平面垂直下方向の前後一方に位置するよう前記歯が傾いて前記支持部に連結したことを特徴とする前記何れかに記載の湾曲状櫛の構成とした。
【考案の効果】
【００１７】
本考案の湾曲状櫛は、上記構成であるから、次の効果を発揮する。頭部により密着し、櫛全体で頭部を包むように髪を梳かすことができ、かつ髪を梳かすとき被施術者にリラックス効果を与えるとともに、施術者にとっても使い勝手がよく、整形しやすい。また低コストで製造可能である。
【考案を実施するための最良の形態】
【００１８】
以下、添付図面に基づき、本考案である湾曲状櫛について詳細に説明する。
【実施例１】
【００１９】
図１は、本考案である湾曲状櫛の第１の実施形態を示す図である。図１（Ａ）は本考案である湾曲状櫛１の正面図、（Ｂ）は平面図、（Ｃ）は左側面図、（Ｄ）はＡ−Ａ線断面図である。
【００２０】
湾曲状櫛１は、正面孤状に湾曲した第１支持部１ｂ及び第１支持部１ｂに連設された第２支持部１ｃよりなるフレーム１ａと、第１支持部１ｂの弧内側に一列に隙間１ｋをあけ等間隔に各々平行に設けられた複数の同一形状の歯１ｆよりなる第１歯部１ｅと、第２支持部１ｃに第１歯部１ｅと同一側に一列に隙間１ｌをあけ等間隔に各々平行に設けられた複数の同一形状の歯１ｈよりなる第２歯部１ｇとからなる。
【００２１】
湾曲状櫛１の素材としては樹脂が好ましく、金型による一体成型が低コストで望ましい。以下、本考案の湾曲状櫛の素材、成型についても同じ。
【００２２】
第１支持部１ｂと、第２支持部１ｃは、約１５０度の角度θ２をもって接続される。角度θ２は、１２０度〜１６０度の範囲が、施術者にとって使い勝手がよい。
【００２３】
第１支持部１ｂは、頂点を略中心に略左右対称に湾曲している。第１支持部１ｂは、頂点の接線（破線β）と平行な第１支持部１ｂ末端を通る破線αに対して約１５度の角度θ１をもっている。
【００２４】
歯１ｆは、第１支持部１ｂの頂点の接線（破線β）に対して、正面垂直方向（点線γ）の第１支持部１ｂの弧の内側に隙間１ｋを有し列設される。その形状は、ストレートかつ同じ長さで、それぞれ同一形状である。その結果、歯１ｆの先端を結ぶ線（点線）は、第１支持部１ｂとほぼ同形状の弧を描く。従って、第１支持部１ｂ、第１歯部１ｅは全体として弧状に湾曲する。
【００２５】
第２支持部１ｃは、上述のように屈曲して第１支持部１ｂに接続され、第１支持部１ｂとは正面反対方向に凸に湾曲している。その結果湾曲状櫛１は、正面全体として略Ｓ字形状をしている。
【００２６】
第２支持部１ｃに設けられる第２歯部１ｇを構成する歯１ｈは、歯１ｆ同様破線βに対して正面垂直方向（点線δ）に等間隔の隙間１ｌを有し、歯１ｆと同一面で弧内に列設されている。その結果、歯１ｆと歯１ｈは正面視、平行になる。第２支持部１ｃと歯１ｈとは、約７０度の角度θ３になる。また、隙間１ｌは、隙間１ｋより狭くすると使い勝手がよい。
【００２７】
歯１ｆ、１ｈが接続する第１、第２支持部１ｂ、１ｃ部分は、薄く肉薄部１ｎを形成し、歯１ｆ、１ｈ強度、形状を維持する。
【００２８】
また、図１（Ｂ）平面図で明らかなように、湾曲状櫛１は平面直線である。なお、前記フレーム１ａが、平面弧状又は略Ｓ字状に湾曲してもよい。さらに、歯１ｆの先端が、第１支持部１ｂの平面垂直下方向の前後一方に位置するよう前記歯１ｆが傾いて、或いは湾曲してもよい。
【００２９】
第１支持部１ｂの先端部１ｄは、第１歯部１ｅ方向に湾曲し、第１歯部１ｅを構成する歯となる。また第２支持部２ｃの末端部１ｉは第２歯部１ｇ方向に屈曲し、第２歯部１ｇを構成する歯となる。これにより、被施術者に違和感を与えることなく、癒し効果を与える。また、その形状は金型により容易に成型することができる。
【００３０】
さらに、第１支持部１ｂと第２支持部１ｃの連結部１ｍに方向の第１支持部１ｂ末端部に接続し、第１歯部１ｅと第２歯部１ｇとの間に位置し、歯１ｆ、１ｈと同一面に板状の仕切り１ｊがある。仕切り１ｊは、指を掛ける部分、模様を描く部分として使用できる。先端部１ｄの先端と、第１支持部１ｂ末端に位置する仕切り１ｊとを結んだ線（破線）は、破線βと平行で、正面全体として第１支持部は湾曲している。
【実施例２】
【００３１】
図２は、本考案である湾曲状櫛の第２の実施形態を示す図である。図２（Ａ）は本考案である湾曲状櫛２の正面図、（Ｂ）は平面図、（Ｃ）は左側面図、（Ｄ）はＢ−Ｂ線断面図である。
【００３２】
湾曲状櫛２は、正面孤状に湾曲した第１支持部２ｂ及び第１支持部２ｂに連設され、第１支持部２ｂと逆方向に凸に湾曲した第２支持部２ｃよりなる平面略Ｓ字形状のフレーム２ａと、第１支持部２ｂの弧内側に一列に隙間２ｈをあけ等間隔に各々平行に設けられた複数の歯２ｇよりなる第１歯部２ｆと、第２支持部２ｃの弧内側で、第１歯部２ｆと逆方向に一列に隙間２ｊをあけ等間隔に各々平行、且つ第１歯部２iの歯２ｇとも平行に設けられた複数の歯２ｋよりなる第２歯部２ｉとからなる。
【００３３】
また、湾曲状櫛２は、長手方向に対する中央方向の第１歯部２ｆの一端部と第２歯部２ｉの一端部が重なった連結部２ｌを有し、その連結部２ｌには、平面逆方向にそれぞれの歯２ｇ、２ｋが設けられている。
【００３４】
ストレート形状な歯２ｇ、２ｋは、それぞれ第１支持部２ｂ、第２支持部２ｃの弧の頂点の接線（破線α）に対して平面垂直方向に、接続する。また、第１歯部２ｆ及び第２歯部２ｉの歯２ｇ、２ｅの先端（先端部２ｄ、末端部２ｅを含む）を結ぶ線（点線）が、それぞれ第１、第２支持部２ｂ、２ｃと同一方向に凸の弧状になるように、歯２ｇ、２ｋの長さをそれぞれ端から中央にいくにしたがい長い歯にしている。このようにしてなる湾曲状櫛２は、湾曲状櫛２正面全体として略Ｓ字形状である。
【００３５】
また、図２（Ｂ）平面図で明らかなように、湾曲状櫛２は平面直線である。なお、前記フレーム２ａが、全体として平面弧状、又は第１支持部２ｂと第２支持部２ｃが逆方向に凸の略Ｓ字状、或いは第１支持部２ｂと第２支持部２ｃが同一方向に凸の略Ｍ字形状に湾曲してもよい。さらに、歯２ｇ、２ｋの先端が、第１、第２支持部２ｂ、２ｃの平面垂直下方向の前後それぞれ同一方向に位置するよう前記歯２ｇ、２ｋが傾いて、或いは湾曲してもよい。
【００３６】
なお、先端部２ｄ、末端部２ｅは、それぞれ歯として機能するとともに、落下等による歯の破損を防止する機能も有する。また、図２（Ｃ）で明らかなように、先端部２ｄ、真端部２ｅは、第１支持部２ｂ、第２支持部２ｃのそれぞれの頂点を越えないよう整形されている。
【実施例３】
【００３７】
図３は、本考案である湾曲状櫛の第３の実施形態を示す図である。図３（Ａ）は本考案である湾曲状櫛３の正面図、（Ｂ）は平面図、（Ｃ）は左側面図、（Ｄ）はＣ−Ｃ線断面図である。
【００３８】
湾曲状櫛３は、正面孤状に湾曲した第１支持部３ｂ及び第１支持部３ｂに連結部３ｊで連設された第２支持部３ｃよりなるフレーム３ａと、第１支持部３ｂの弧内側に一列に隙間３ｌをあけ等間隔に各々平行に設けられた複数の歯３ｆよりなる第１歯部３ｅと、第２支持部３ｃに第１歯部３ｅと同一側に一列に隙間３ｍをあけ等間隔に各々平行に設けられた複数の歯３ｈよりなる第２歯部３ｇとからなる。
【００３９】
前記第２支持部３が、屈曲して第１支持部３に接続され、角度θ１は約３０度、角度θ２は約１３０度、角度θ３は約２０度である。
【００４０】
第２支持部３ｃの末端に、第２支持部３ｃと略同方向に延設され、先端にいくほど細くなる第１末端部３ｉを設けた。また、第２支持部３ｃには、歯３ｈと略平行に第２歯部３ｇの歯を構成する第２末端部３ｋを形成する。第１支持部３ｂの先端部３ｄ及び第２支持部３ｃの第２末端部３ｋともに歯３ｆ、３ｈの欠けを防止する。
【００４１】
実施例１同様に、歯３ｆは、第１支持部３ｂの頂点の接線（破線α）に対して平面垂直方向（点線β）に延設され、第１歯部３ｅの歯３ｆの先端を結ぶ線（点線）が、第１支持部３ｂと同一方向に凸の弧状になるような歯の長さを第１支持部３ｂの両端から中央にいくにしたがい長い歯とした。
【００４２】
第２支持部３ｃの歯３ｈは、第１支持部３ｂの頂点の接線（破線α）に対して平面垂直方向（点線β）に延設され、第１支持部３ｂの歯３ｆとも平行である。第２歯部３ｇの歯３ｈの先端を結ぶ線（一点鎖線）も弧状で、歯３ｈは、第２末端部３ｋに向かうにしたがい長い。なお、第１末端部３ｉと第２末端部３ｋの間には、歯は無く、第１末端部３ｉは髪をかき分けることに利用できる。
【００４３】
また、図３（Ｂ）平面図で明らかなように、湾曲状櫛３は平面直線である。なお、前記フレーム３ａが、全体として平面弧状、又は第１支持部３ｂと第２支持部３ｃが逆方向に凸の略Ｓ字状、或いは第１支持部３ｂと第２支持部４ｃが同一方向に凸のＷ形状に湾曲してもよい。さらに、歯３ｆ、３ｈの先端が、第１、第２支持部３ｂ、３ｃの平面垂直下方向の前後それぞれ同一方向に位置するよう前記歯３ｆ、３ｈが傾いて、或いは湾曲してもよい。
【実施例４】
【００４４】
図４は、本考案である湾曲状櫛の第４の実施形態を示す図である。図４（Ａ）は本考案である湾曲状櫛４の正面図、（Ｂ）は平面図、（Ｃ）はＤ−Ｄ線断面図、（Ｄ）は歯４ｈの形状を説明する平面図である。
【００４５】
湾曲状櫛４は、正面孤状に湾曲した第１支持部４ｂ及び第１支持部４ｂに連設され、第１支持部４ｂと同一方向に凸の弧状に湾曲した第２支持部４ｃよりなるフレーム４ａと、第１支持部４ｂの弧内側に一列に隙間４ｎをあけ等間隔に各々平行に設けられた複数の歯４ｆよりなる第１歯部４ｅと、第２支持部４ｃの弧内側に一列に隙間４ｎをあけ等間隔に各々平行に設けられた複数の歯４ｈよりなる第２歯部４ｇとからなる。
【００４６】
また、第１支持部４ｂと第２支持部４ｃとは、同一方向に凸の弧状に湾曲した同形状で、第１歯部４ｅの歯４ｆと、第２歯部４ｇの歯４ｈも湾曲の向きは異なるが、連結部４ｊを挟み対応するそれぞれの歯４ｆ、４ｈは同一形状である。即ち、第１、第２支持部４ｂ、４ｃ及び第１、第２歯部４ｇは、連結部４ｊの位置で左右対象である。
【００４７】
第１、第２歯部４ｇの歯４ｆ、４ｈの先端４ｋを結ぶ線（点線）も、第１、第２支持部４ｂ、４ｃと同一方向に凸の弧状になっている。従って、それぞれの歯４ｆ、４ｈの長さは、両端から中央にいくにしたがい長い歯となる。
【００４８】
また、第１支持部４ｂの先端部４ｄと、第２支持部４ｃの末端部４ｉは、それぞれ歯としての機能、第１、第２歯部４ｅ、４ｇの歯４ｆ、４ｈの破損防止機能も発揮する。先端部４ｄ、連結部４ｊ、末端部４ｉの先端は、一直線（一点破線δ）上にある。
【００４９】
また、歯４ｆ、４ｈは、図４（Ｄ）に示したように、第１、第２支持部４ｂ、４ｃの頂点の接線（破線α）に対して、平面垂直方向（点線β）から歯４ｆ、４ｈの先端４ｋが連結部４ｊ方向に傾いて位置し、かつ中央部４ｍが反連結部４ｊ方向に凸の弧状に湾曲している。即ち、歯４ｆ、４ｈの付け根４ｌと先端４ｋを結ぶ線（点線γ）と点線βとの内角θ１分だけ、先端４ｋは連結部４ｊによっている。角θは、約１０度である。これら歯の傾き、形状は他の実施例に採用することもできる。
【００５０】
また、図４（Ｂ）平面図で明らかなように、湾曲状櫛４は平面直線である。なお、前記フレーム４ａが、全体として平面弧状、又は第１支持部４ｂと第２支持部４ｃが逆方向に凸の略Ｓ字状、或いは第１支持部４ｂと第２支持部４ｃが同一方向に凸のＷ形状に湾曲してもよい。さらに、歯４ｆ、４ｈの先端が、第１、第２支持部３ｂ、３ｃの平面垂直下方向の前後それぞれ同一方向に位置するよう前記歯４ｆ、４ｈが傾いて、或いは湾曲してもよい。
【実施例５】
【００５１】
図５は、本考案である湾曲状櫛の第５の実施形態を示す図である。図５（Ａ）は本考案である湾曲状櫛５の正面図、（Ｂ）は平面図、（Ｃ）はＦ−Ｆ線断面図、（Ｄ）は歯４ｈの形状を説明する平面図である。
【００５２】
湾曲状櫛５は、実施例４の湾曲状櫛４の連結部４ｊを第１、第２支持部４ｂ、４ｃの凸方向に向け窪んだ形状で、その部分にも歯を設けたのものであり、中心（一点鎖線β）において左右対称である。
【００５３】
即ち、湾曲状櫛５は、正面孤状に湾曲した第１支持部５ｂ、第１支持部５ｂと同形状の第２支持部５ｃ、第１支持部５ｂと第２支持部５ｃを連結する反第１、第２支持部５ｂ、５ｃ方向
に凸に湾曲した第３支持部５ｊよりなるフレーム５ａと、第１支持部５ｂの弧内側に一列に隙間５ｍをあけ等間隔に各々平行に設けられた複数の歯５ｆよりなる第１歯部５ｅと、第２支持部５ｃの弧内側に一列に隙間５ｎをあけ等間隔に各々平行に設けられた複数の歯５ｈよりなる第２歯部５ｇと、第３支持部５ｊの弧外であって、第１歯部５ｅと第２歯部５ｇ側と同一方向に一列に隙間５ｏをあけ等間隔に各々平行に設けられた複数の歯５ｌよりなる第３歯部５ｋとからなる。
【００５４】
図５（Ｄ）に示したように、第１歯部５ｅ及び第２歯部５ｇの歯５ｆ、５ｈは、第１、第２支持部５ｂ、５ｃの頂点の接線（破線α）に対して、歯の付け根５ｑから平面垂直方向（点線γ）に歯５ｆ、５ｈの先端５ｐが位置する。そして、歯５ｆ、５ｈの中央部５ｒは、反第３歯部５ｋの方向に凸の弧状に湾曲している。これら歯５ｆ、５ｈの形状は他の実施例に採用することもできる。
【００５５】
他方、第３歯部５ｋの歯は、第１、第２支持部５ｂ、５ｃの頂点の接線（破線α）に対して、歯の付け根５ｑから平面垂直方向（点線γ）に歯５ｆ、５ｈの先端５ｐ及び中心部５ｒが位置するストレート形状である。
【００５６】
フレーム５ａの先端部５ｄ、末端部５ｉは、それぞれ歯としての機能、第１、第２歯部４ｅ、４ｇの歯４ｆ、４ｈの破損防止機能も発揮する。
【００５７】
また、第１歯部５ｅ及び第３歯部５ｋの歯５ｆ、５ｌの先端を結んだ線（点線）が、先端部５ｄ側から中心線（破線β）まで第１支持部５ｂと同一方向に凸の湾曲になるよう、
歯５ｆ、５ｌの長さが調節されている。第２歯部５ｇ及び第３歯部５ｋの歯５ｈ、５ｏも同様である。さらに、歯５ｆ、５ｈ、５ｏの先端５ｐは、先端部５ｄと末端部５ｉ結んだ線（点線）より内側に位置する。
【００５８】
また、図５（Ｂ）平面図で明らかなように、湾曲状櫛５は平面直線である。なお、前記フレーム５ａが、全体として平面弧状、又は第１支持部５ｂと第２支持部５ｃが逆方向に凸の略Ｓ字状、或いは第１支持部５ｂと第２支持部５ｃが同一方向に凸のＷ形状に湾曲してもよい。さらに、歯５ｆ、５ｈの先端が、第１、第２支持部５ｂ、５ｃの平面垂直下方向の前後それぞれ同一方向に位置するよう前記歯５ｆ、５ｈが傾いて、或いは湾曲してもよい。
【実施例６】
【００５９】
図６は、本考案である湾曲状櫛の第６の実施形態を示す図である。図６（Ａ）は本考案である湾曲状櫛６の正面図、（Ｂ）は平面図、（Ｃ）はＧ−Ｇ線断面図である。
【００６０】
湾曲状櫛６は、実施例２の第１支持部２ｂと第２支持部２ｃの連結部２ｌを、連結方向に略直線（破線γ）状に長く形成し、歯を設けない手で握る把持部６ｊとしたものである。さらに、湾曲状櫛６は、破線γと第１、第２支持部６ｂ、６ｃの等距離にある破線δの交点Ｐにおいて点対称である。
【００６１】
即ち、湾曲状櫛６は、正面孤状に湾曲した第１支持部６ｂ、第１支持部６ｂと逆方向に凸に湾曲した第２支持部６ｃ、第１支持部６ｂ及び第２支持部６ｃを連結する歯を設けない手で握る部分である把持部６ｊよりなる平面略Ｓ字形状のフレーム６ａと、第１支持部６ｂの弧内側に一列に隙間６ｋをあけ等間隔に各々平行に設けられた複数の歯６ｆよりなる第１歯部６ｅと、第２支持部６ｃの弧内側で、第１歯部６ｅと逆方向に一列に隙間６ｋをあけ等間隔に各々平行に設けられた複数の歯６ｈよりなる第２歯部６ｇとからなる。
【００６２】
歯６ｆ、６ｈは、実施例５の形態と同様で、第１支持部、第２支持部６ｃの頂点の接線（破線α）に対して、平面垂直方向（点線β）に、歯の付け根、歯の先端が位置し、反把持部６ｊ方向に凸の平面湾曲形状である。
【００６３】
また、第１歯部６ｅと第２歯部６ｇの歯６ｆ、６ｈの先端（先端部６ｄ、末端部６ｉを含む）を結ぶそれぞれの線（点線）は、それぞれ第１、第２支持部６ｂ、６ｃと同一方向に凸の弧状になるように、歯６ｆ、６ｈの長さをそれぞれ端から中央にいくにしたがい長い歯にしている。
【００６４】
歯６ｆ、６ｈの先端を結ぶ線と、第１支持部６ｂ、第２支持部６ｃの湾曲度を比較すると、歯の先端を結ぶ線（点線）の湾曲が緩やかであり、中央ほど隙間６ｋの溝が深い。
【００６５】
なお、角θ１は、１１５度である。また、把持部６ｊは、側面に波状の凹凸を形成し、手で握りやすくしている。フレーム６ａの先端部６ｄ、末端部６ｉは、それぞれ歯としての機能、第１、第２歯部６ｅ、６ｇの歯６ｆ、６ｈの破損防止機能も発揮する。
【００６６】
また、図６（Ｂ）平面図で明らかなように、湾曲状櫛６は平面直線である。なお、第１支持部６ｅ、第２支持部６ｇが、全体として平面弧状、又は第１支持部２ｂと第２支持部２ｃが逆方向に弧状、或いは第１支持部２ｂと第２支持部２ｃが同一方向に凸の弧状に湾曲してもよい。さらに、歯６ｆ、６ｅの先端が、第１、第２支持部２ｂ、２ｃの平面図において、上下それぞれ同一方向にずれて位置するよう前記歯６ｆ、６ｅが傾いて、或いは湾曲してもよい。
【図面の簡単な説明】
【００６７】
【図１】本考案である湾曲状櫛の第１の実施形態を示す図である。
【図２】本考案である湾曲状櫛の第２の実施形態を示す図である。
【図３】本考案である湾曲状櫛の第３の実施形態を示す図である。
【図４】本考案である湾曲状櫛の第４の実施形態を示す図である。
【図５】本考案である湾曲状櫛の第５の実施形態を示す図である。
【図６】本考案である湾曲状櫛の第６の実施形態を示す図である。
【図７】特許文献１の櫛を示す図である。
【符号の説明】
【００６８】
１      湾曲状櫛
１ａ    フレーム
１ｂ    第１支持部
１ｃ    第２支持部
１ｄ    先端部
１ｅ    第１歯部
１ｆ    歯
１ｇ    第２歯部
１ｈ    歯
１ｉ    末端部
１ｊ    仕切り
１ｋ    隙間
１ｌ    隙間
１ｍ    連結部
１ｎ    肉薄部
２      湾曲状櫛
２ａ    フレーム
２ｂ    第１支持部
２ｃ    第２支持部
２ｄ    先端部
２ｅ    末端部
２ｆ    第１歯部
２ｇ    歯
２ｈ    隙間
２ｉ    第２歯部
２ｊ    隙間
２ｋ    歯
２ｌ    連結部
３      湾曲状櫛
３ａ    フレーム
３ｂ    第１支持部
３ｃ    第２支持部
３ｄ    先端部
３ｅ    第１歯部
３ｆ    歯
３ｇ    第２歯部
３ｈ    歯
３ｉ    第１末端部
３ｊ    連結部
３ｋ    第２末端部
３ｌ    隙間
３ｍ    隙間
４      湾曲状櫛
４ａ    フレーム
４ｂ    第１支持部
４ｃ    第２支持部
４ｄ    先端部
４ｅ    第１歯部
４ｆ    歯
４ｇ    第２歯部
４ｈ    歯
４ｉ    末端部
４ｊ    連結部
４ｋ    先端
４ｌ    付け根
４ｍ    中央部
４ｎ    隙間
５      湾曲状櫛
５ａ    フレーム
５ｂ    第１支持部
５ｃ    第２支持部
５ｄ    先端部
５ｅ    第１歯部
５ｆ    歯
５ｇ    第２歯部
５ｈ    歯
５ｉ    末端部
５ｊ    第３支持部
５ｋ    第３歯部
５ｌ    歯
５ｍ    隙間
５ｎ    隙間
５ｏ    隙間
５ｐ    先端
５ｑ    付け根
５ｒ    中央部
６      湾曲状櫛
６ａ    フレーム
６ｂ    第１支持部
６ｃ    第２支持部
６ｄ    先端部
６ｅ    第１歯部
６ｆ    歯
６ｇ    第２歯部
６ｈ    歯
６ｉ    末端部
６ｊ    把持部
６ｋ    隙間
７      櫛
７ａ    フレーム
７ｂ    支持部
７ｃ    取っ手
７ｄ    先端部
７ｅ    歯部
７ｆ    歯
【図１】
0003147031.tif 000003
【図２】
0003147031.tif 000004
【図３】
0003147031.tif 000005
【図４】
0003147031.tif 000006
【図５】
0003147031.tif 000007
【図６】
0003147031.tif 000008
【図７】
0003147031.tif 000009